(57)【要約】【課題】  不定形サイズの原稿をコピーする場合に転写紙を適切に自動選択し、変倍率を自動設定することができる画像形成装置を提供すること。【解決手段】  原稿サイズ検知２０７で検知された原稿と転写紙の面積の差の絶対値を計算する（Ｓ４０１）。転写紙は複数種類あるので、選択可能な転写紙ごとに計算を行う。  検知された原稿サイズをＸ，Ｙ、ｉ番目の転写紙ｉの転写紙サイズをＸｉ，Ｙｉ、原稿と転写紙の面積の差の絶対値をＳｉとすると、Ｓｉ  ＝  ｜Ｘ×Ｙ−Ｘｉ×Ｙｉ｜  となる。次に、計算された複数のＳｉの中から値が最小となるｉを求め、実際にコピーを行う転写紙ｉを決定する（Ｓ４０２）。そして、決定された転写紙のサイズから変倍率を計算する。変倍率は転写紙サイズと原稿サイズの比率によって計算するが、主走査方向と副走査方向を別々に計算して、小さい方を変倍率として決定する（Ｓ４０３）。小さい方を変倍率とすることで画像欠落を防止する。【選択図】    図４
2006256167.tif 000002
【特許請求の範囲】
【請求項１】
原稿画像のデータを取得する画像入力部と、この画像入力部で取得した画像データを処理する画像処理部と、この画像処理部で処理した画像データを所定の転写紙に出力する画像出力部と、を備えた画像形成装置において、
前記画像入力部で原稿画像データを取得する際、当該原稿が不定形サイズの場合、不定形の原稿のサイズを検知する不定形サイズ検知手段と、
前記不定形サイズ検知手段で検知された原稿サイズにもっとも近いサイズの転写紙を、複数の種類の転写紙から選択する転写紙選択手段と、
前記転写紙選択手段で選択された転写紙に原稿を複写した場合に、原稿中にある画像の欠落がなく、かつもっとも余白部分が少なくなるように変倍率を決定する変倍率決定手段と、を備えたことを特徴とする画像形成装置。
【請求項２】
原稿画像のデータを取得する画像入力部と、この画像入力部で取得した画像データを処理する画像処理部と、この画像処理部で処理した画像データを所定の転写紙に出力する画像出力部と、を備えた画像形成装置において、
前記画像入力部で原稿画像データを取得する際、当該原稿が不定形サイズの場合、不定形の原稿のサイズを検知する不定形サイズ検知手段と、
前記不定形サイズ検知手段で検知された原稿サイズよりも大きいサイズの転写紙の中から最も近いサイズの転写紙を複数の種類の転写紙から選択する転写紙選択手段と、
前記転写紙選択手段で選択された転写紙に原稿を複写した場合に、原稿中にある画像の欠落がなく、かつもっとも余白部分が少なくなるように拡大率を決定する拡大率決定手段と、を備えたことを特徴とする画像形成装置。
【請求項３】
原稿画像のデータを取得する画像入力部と、この画像入力部で取得した画像データを処理する画像処理部と、この画像処理部で処理した画像データを所定の転写紙に出力する画像出力部と、を備えた画像形成装置において、
前記画像入力部で原稿画像データを取得する際、当該原稿が不定形サイズの場合、不定形の原稿のサイズを検知する不定形サイズ検知手段と、
前記不定形サイズ検知手段で検知された原稿サイズよりも小さいサイズの転写紙の中から最も近いサイズの転写紙を複数の種類の転写紙から選択する転写紙選択手段と、
前記転写紙選択手段で選択された転写紙に原稿を複写した場合に、原稿中にある画像の欠落がなく、かつもっとも余白部分が少なくなるように縮小率を決定する縮小率決定手段と、を備えたことを特徴とする画像形成装置。
【請求項４】
前記変倍率決定手段は、前記転写紙選択手段で選択された転写紙に原稿を複写した場合に、原稿中にある画像の欠落がなく、かつもっとも余白部分が少なくなるように原稿の縦方向と横方向の変倍率をそれぞれ独立に決定することを特徴とする請求項１記載の画像形成装置。
【請求項５】
前記不定形サイズ検知手段は、前記画像入力部が取得した画像データの中から有効な画像データの領域を検知する手段を備えていることを特徴とする請求項１または請求項４記載の画像形成装置。
【発明の詳細な説明】
【技術分野】
【０００１】
本発明は、転写紙自動選択、変倍率自動設定可能なディジタル複写機またはディジタル複合機等の画像形成装置に関する。
【背景技術】
【０００２】
複写機等の画像形成装置により原稿画像を読み取り、所定の用紙に画像形成する際、原稿のサイズが不定型なサイズのものであった場合、原稿画像が用紙をはみ出したり、余白が異常に大きくなったりして、適正な出力を得ることが難しいことがあった。以下の特許文献１では、一度の読み取り動作により画像に欠けのない、適正な画像データを生成する技術が開示されている。
【０００３】
【特許文献１】特開２００３−６０９０１
【発明の開示】
【発明が解決しようとする課題】
【０００４】
上記特許文献１記載の発明では、用紙はユーザーが指定することを前提としており、用紙は、自動選択の対象となっていなかった。
ところで、不定形サイズの原稿をコピーする場合、定型サイズの転写紙を適切に選択するために原稿サイズを測定しなくてはならない。また、原稿サイズと転写紙サイズの関係から画像の欠落を防止し、かつ余白の発生を少なくするためには、適切な変倍率を計算する必要がある。
また、不定形サイズの原稿をその原稿サイズより大きい転写紙にコピーする場合、定型サイズの転写紙を適切に選択するために原稿サイズを測定しなくてはならず、原稿サイズと転写紙サイズの関係から余白の発生を少なくするためには、適切な拡大率を計算する必要がある。
さらに、不定形サイズの原稿をその原稿サイズより小さい転写紙にコピーする場合、定型サイズの転写紙を適切に選択するために原稿サイズを測定しなくてはならず、原稿サイズと転写紙サイズの関係から画像の欠落を防止するためには、適切な縮小率を計算する必要がある。
また、不定形サイズの原稿をコピーする場合、定型サイズの転写紙を適切に選択するために原稿サイズを測定しなくてはならず、原稿サイズと転写紙サイズの関係から画像の欠落を防止し、かつ余白の発生をなくすためには、縦方向と横方向の変倍率を計算する必要がある。
加えて、不定形サイズの原稿をコピーする場合、定型サイズの転写紙を適切に選択するために原稿サイズを測定しなくてはならず、原稿サイズと転写紙サイズの関係から画像の欠落を防止し、かつ余白の発生を少なくするためには、適切な変倍率を計算する必要がある。
【０００５】
そこで、本発明の第１の目的は、不定形サイズの原稿をコピーする場合に転写紙を適切に自動選択し、変倍率を自動設定することができる画像形成装置を提供することである。
本発明の第２の目的は、不定形サイズの原稿をその原稿サイズより大きい転写紙にコピーする場合に転写紙を適切に自動選択し、拡大率を自動設定することができる画像形成装置を提供することである。
本発明の第３の目的は、不定形サイズの原稿をその原稿サイズより小さい転写紙にコピーする場合に転写紙を適切に自動選択し、縮小率を自動設定することができる画像形成装置を提供することである。
本発明の第４の目的は、不定形サイズの原稿をコピーする場合に転写紙を適切に自動選択し、縦方向と横方向の変倍率を自動設定することができる画像形成装置を提供することである。
本発明の第５の目的は、原稿を読み取った画像データから画像サイズを検知して、不定形サイズの原稿をコピーする場合に転写紙を適切に自動選択し、変倍率を自動設定することができる画像形成装置を提供することである。
【課題を解決するための手段】
【０００６】
請求項１記載の発明では、原稿画像のデータを取得する画像入力部と、この画像入力部で取得した画像データを処理する画像処理部と、この画像処理部で処理した画像データを所定の転写紙に出力する画像出力部と、を備えた画像形成装置において、前記画像入力部で原稿画像データを取得する際、当該原稿が不定形サイズの場合、不定形の原稿のサイズを検知する不定形サイズ検知手段と、前記不定形サイズ検知手段で検知された原稿サイズにもっとも近いサイズの転写紙を、複数の種類の転写紙から選択する転写紙選択手段と、前記転写紙選択手段で選択された転写紙に原稿を複写した場合に、原稿中にある画像の欠落がなく、かつもっとも余白部分が少なくなるように変倍率を決定する変倍率決定手段と、を備えたことにより、前記第１の目的を達成する。
請求項２記載の発明では、原稿画像のデータを取得する画像入力部と、この画像入力部で取得した画像データを処理する画像処理部と、この画像処理部で処理した画像データを所定の転写紙に出力する画像出力部と、を備えた画像形成装置において、前記画像入力部で原稿画像データを取得する際、当該原稿が不定形サイズの場合、不定形の原稿のサイズを検知する不定形サイズ検知手段と、前記不定形サイズ検知手段で検知された原稿サイズよりも大きいサイズの転写紙の中から最も近いサイズの転写紙を複数の種類の転写紙から選択する転写紙選択手段と、前記転写紙選択手段で選択された転写紙に原稿を複写した場合に、原稿中にある画像の欠落がなく、かつもっとも余白部分が少なくなるように拡大率を決定する拡大率決定手段と、を備えたことにより、前記第２の目的を達成する。
【０００７】
請求項３記載の発明では、原稿画像のデータを取得する画像入力部と、この画像入力部で取得した画像データを処理する画像処理部と、この画像処理部で処理した画像データを所定の転写紙に出力する画像出力部と、を備えた画像形成装置において、前記画像入力部で原稿画像データを取得する際、当該原稿が不定形サイズの場合、不定形の原稿のサイズを検知する不定形サイズ検知手段と、前記不定形サイズ検知手段で検知された原稿サイズよりも小さいサイズの転写紙の中から最も近いサイズの転写紙を複数の種類の転写紙から選択する転写紙選択手段と、前記転写紙選択手段で選択された転写紙に原稿を複写した場合に、原稿中にある画像の欠落がなく、かつもっとも余白部分が少なくなるように縮小率を決定する縮小率決定手段と、を備えたことにより、前記第３の目的を達成する。
【０００８】
請求項４記載の発明では、請求項１記載の発明において、前記変倍率決定手段は、前記転写紙選択手段で選択された転写紙に原稿を複写した場合に、原稿中にある画像の欠落がなく、かつもっとも余白部分が少なくなるように原稿の縦方向と横方向の変倍率をそれぞれ独立に決定することにより、前記第４の目的を達成する。
請求項５記載の発明では、請求項１または請求項４記載の発明において、前記不定形サイズ検知手段は、前記画像入力部が取得した画像データの中から有効な画像データの領域を検知する手段を備えていることにより、前記第５の目的を達成する。
【発明の効果】
【０００９】
請求項１記載の発明では、不定形サイズの原稿をコピーする場合に転写紙を適切に自動選択し、変倍率を自動設定するため、転写紙の選択や変倍率の設定を行わずに最適に複写することが可能となる。
請求項２記載の発明では、不定形サイズの原稿をその原稿サイズより大きい転写紙にコピーする場合に転写紙を適切に自動選択し、拡大率を自動設定するため、転写紙の選択や変倍率の設定を行わずに原稿より大きい転写紙に対して最適に複写すること可能となる。
請求項３記載の発明では、不定形サイズの原稿をその原稿サイズより小さい転写紙にコピーする場合に転写紙を適切に自動選択し、縮小率を自動設定するため、転写紙の選択や変倍率の設定を行わずに原稿より小さい転写紙に対して最適に複写することが可能となる。  請求項４記載の発明では、不定形サイズの原稿をコピーする場合に転写紙を適切に自動選択し、縦方向と横方向の変倍率を自動設定するため、転写紙の選択や変倍率の設定を行わず、画像欠落や余白の発生のない複写をすることが可能となる。
請求項５記載の発明では、原稿を読み取った画像データから画像サイズを検知して、不定形サイズの原稿をコピーする場合に転写紙を適切に自動選択し、変倍率を自動設定することが可能となる。
【発明を実施するための最良の形態】
【００１０】
以下、本発明の好適な実施の形態を図１ないし図１０を参照して、詳細に説明する。
図１は、本発明の好適な実施例に係るデジタル複写機の構成を示したブロック図である。この図１に示すように、このデジタル複写機は、画像入力部１０１、画像処理部１０２、画像出力部１０３、制御部１０４および操作部１０５より構成されている。
画像入力部１０１は、ディジタルコピー、ディジタルファクシミリのスキャナに相当し、原稿を読み取り入力画像データとして画像処理部１０２に送る。画像処理部１０２は、入力された画像データに対してＭＴＦフィルタ処理、変倍処理、γ変換処理、階調処理などの各種画像処理を行い画像出力部１０３に送る。
画像出力部１０３は、ディジタル複写機のプリンタに相当し、画像処理後の画像データを紙にプリント出力する。
制御部１０４は、装置全体の制御を行う。画像入力部１０１に対しては、スキャナの動作制御を行い、画像処理部１０２に対しては、ＭＴＦフィルタ処理、変倍処理、γ補正処理、階調処理などの各種画像処理の処理に用いるパラメータの設定を行い、画像出力部１０３に対しては、プリンタの動作制御を行い、操作部１０５に対しては各種情報の表示制御や動作モードの入力制御を行う。
操作部１０５は、使用者が設定する動作モードやコピースタートの指示の入力に用いられる。
【００１１】
図２は、デジタル複写機の構成を示したより詳細なブロック図である。このデジタル複写機は、原稿画像を読み取るスキャナ部２０１、スキャンされた画像データに対してフィルタ処理を行うＭＴＦフィルタ処理２０２、拡大、縮小を行う変倍処理２０３、出力画像データの濃度調整を行うγ変換処理２０４、階調処理２０５、画像をコピーとして出力するプリンタ部２０６、入力された画像データの有効画像部分の存在から原稿サイズを検知する原稿サイズ検知２０７、装置全体の制御を実行するＣＰＵ２０９、制御プログラムが格納されているＲＯＭ２１０、制御プログラムが一時的に使用するＲＡＭ２１１、各装置間のデータのやりとりを行うシステムバス２０８、コピー動作の設定、スタート、ストップなどの指示を与えたり、設定の状態を表示する操作部２１２により構成されている。
この図２において、スキャナ部２０１が図１の画像入力部１０１に対応しており、ＭＴＦフィルタ処理２０２、変倍処理２０３、γ変換処理２０４、階調処理２０５、原稿サイズ検知２０７が画像処理部１０２に対応している。また、プリンタ部２０６が画像出力部１０３に対応しており、ＣＰＵ２０９、ＲＯＭ２１０、ＲＡＭ２１１が制御部１０４に対応している。
【００１２】
次に、図８から図１０を参照して、本実施例に係るディジタル複写機を説明する。
図８は読み取り原稿台の構成を示した図である。原稿は読み取り面が下向きとなるように原稿台の上に載置される。読み取りは、原稿台における読み取り原点８０１を基準にして行われる。
【００１３】
図９は、読み取り光学系の構成を示した図である。原稿の読み取り面が主走査方向に伸びた光源９０３により照明され、その反射光が第１ミラー９０４、第２ミラー９０５、第３ミラー９０６により順次反射され、レンズ９０７によりＣＣＤイメージセンサ９０８上に結像されて読み取られる。
【００１４】
図１０は、読み取り原稿と読み取り走査方向を示した図である。読み取り原稿の原点は原稿の左上で、原稿台における読み取り原点８０１に合わせて載置される。原稿の読み取り面の主走査はＣＣＤイメージセンサ９０８により電子的に行われ、Ｌ１、Ｌ２、Ｌ３‥‥のラインデータを作成する。副走査方向の走査は原稿とＣＣＤイメージセンサ９０８との相対的な移動により機械的に行われる。
【００１５】
次に画像データの処理の流れについて説明する。
図２に戻り、スキャナ部２０１で読み取られた画像データは、ＭＴＦフィルタ処理２０２で強調処理が行われ、変倍処理２０３で指定された変倍率により拡大または縮小される。そして、γ変換処理２０４で出力画像の濃度調整が行われ、階調処理２０５でプリンタ部からの出力に適した階調を持つ画像データに処理される。
ＭＴＦフィルタ処理２０２、変倍処理２０３、γ変換処理２０４、階調処理２０５の内容は既知の技術を用いている。
【００１６】
次に、画像データから原稿サイズを検知する動作について説明する。
スキャナ部２０１で読み取られた画像データは、原稿サイズ検知２０７に入力される。  図３は原稿サイズ検知内部のブロック図である。
スキャナ部２０１からの画像データは、コンパレータ３０１、３０２に入力される。コンパレータ３０１には、システムバスからのしきい値Ｔｈ１が、コンパレータ３０２には、システムバス２０８からのしきい値Ｔｈ２が入力される。
コンパレータ３０１では、しきい値Ｔｈ１以上の入力画像データを検出してＡＮＤ３０３へ伝える。コンパレータ３０２では、しきい値Ｔｈ２以下の入力画像データを検出してＡＮＤ３０３へ伝える。しきい値Ｔｈ１からＴｈ２の範囲は、有効な画像が存在する範囲である。
【００１７】
ＡＮＤ３０３では、コンパレータ３０１、コンパレータ３０２の両方の条件が成立した場合にＦ／Ｆ３０５とＦ／Ｆ３１０にラッチイネーブル信号を送る。Ｆ／Ｆ３０５には、主走査カウンタ３０４のカウント値が入力されていて、ＡＮＤ３０３からのイネーブル信号により主走査のカウント値を保持する。Ｆ／Ｆ３１０には、副走査カウンタ３０９のカウント値が入力されていて、ＡＮＤ３０３からのイネーブル信号により副走査のカウント値を保持する。
主走査カウンタ３０４は、画素クロックで主走査の画素数をカウントする。ライン同期信号でカウント値はクリアされる。副走査カウンタ３０９は、ライン同期信号でカウントイネーブルとなり副走査のライン数をカウントする。フレーム同期信号でカウント値はクリアされる。
【００１８】
Ｆ／Ｆ３０５で保持された主走査カウント値は、コンパレータ３０６とセレクタ３０７へ送られる。コンパレータ３０６とセレクタ３０７には、Ｆ／Ｆ３０８で保持されている前ラインまでの主走査カウント値も入力されている。Ｆ／Ｆ３０５の主走査カウント値の方がＦ／Ｆ３０８の値よりも大きい場合はコンパレータ３０６からセレクタ３０７へ送られるセレクト信号によりＦ／Ｆ３０５の主走査カウント値が選択されて、Ｆ／Ｆ３０８へ送られる。また反対にＦ／Ｆ３０５の主走査カウント値の方がＦ／Ｆ３０８の値よりも小さい場合は、コンパレータ３０６からセレクタ３０７へ送られるセレクト信号によりＦ／Ｆ３０８の主走査カウント値が選択されてＦ／Ｆ３０８へ送られる。またＦ／Ｆ３０８はライン同期信号で保持する値を更新し、フレーム同期信号で保持する値をクリアする。
以上の動作で、Ｆ／Ｆ３０８には、有効な画像が存在する範囲の主走査カウントの最大値が保持される。これを主走査方向の原稿サイズ（画素数）とする。またＦ／Ｆ３１０には有効な画像が存在する範囲の副走査カウント値が保持される。これを副走査方向の原稿サイズ（画素数）とする。
【００１９】
次に、第１の実施例の処理手順を図４のフローチャートを参照して説明する。
まず、原稿サイズ検知２０７で検知された原稿と転写紙の面積の差の絶対値を計算する（ステップ４０１）。転写紙は複数種類あるので、選択可能な転写紙ごとに計算を行う。
検知された原稿サイズをＸ，Ｙ、ｉ番目の転写紙ｉの転写紙サイズをＸｉ，Ｙｉ、原稿と転写紙の面積の差の絶対値をＳｉとすると、Ｓｉ  ＝  ｜Ｘ×Ｙ−Ｘｉ×Ｙｉ｜  となる。
次に、計算された複数のＳｉの中から値が最小となるｉを求め、実際にコピーを行う転写紙ｉを決定する（ステップ４０２）。そして、決定された転写紙のサイズから変倍率を計算する。変倍率は転写紙サイズと原稿サイズの比率によって計算するが、主走査方向と副走査方向を別々に計算して、小さい方を変倍率として決定する（ステップ４０３）。小さい方を変倍率とすることで画像欠落を防止する。
【００２０】
次に、第２の実施例の処理手順を図５のフローチャートを参照して説明する。
まず、原稿サイズ検知２０７で検知された原稿と転写紙の面積の差を計算する（ステップ５０１）。転写紙は複数種類あるので、選択可能な転写紙ごとに計算を行う。
検知された原稿サイズをＸ，Ｙ、ｉ番目の転写紙ｉの転写紙サイズをＸｉ，Ｙｉ、原稿と転写紙の面積の差をＳｉとすると、Ｓｉ  ＝  Ｘｉ×Ｙｉ−Ｘ×Ｙ  となる。
Ｘ≦ＸｉかつＹ≦Ｙｉを満足するｉの中で、計算された複数のＳｉの値が最小となるｉを求め、実際にコピーを行う転写紙ｉを決定する（ステップ５０２）。決定された転写紙のサイズから拡大率を計算する。原稿サイズよりも転写紙サイズの方が大きいので倍率は必ず１００％以上になる。
拡大率は転写紙サイズと原稿サイズの比率によって計算するが、主走査方向と副走査方向を別々に計算して、小さい方を変倍率として決定する（ステップ５０３）。小さい方を変倍率とすることで画像欠落を防止する。
【００２１】
次に、第３の実施例の処理手順を図６のフローチャートを参照して説明する。
まず、原稿サイズ検知２０７で検知された原稿と転写紙の面積の差を計算する（ステップ６０１）。転写紙は複数種類あるので、選択可能な転写紙ごとに計算を行う。
検知された原稿サイズをＸ，Ｙ、ｉ番目の転写紙ｉの転写紙サイズをＸｉ，Ｙｉ、原稿と転写紙の面積の差をＳｉとすると、Ｓｉ  ＝  Ｘ×Ｙ−Ｘｉ×Ｙｉ  となる。
Ｘｉ≦ＸかつＹｉ≦Ｙを満足するｉの中で、計算された複数のＳｉの値が最小となるｉを求め、実際にコピーを行う転写紙ｉを決定する（ステップ６０２）。
そして、決定された転写紙のサイズから縮小率を計算する。原稿サイズよりも転写紙サイズの方が小さいので倍率は必ず１００％以下になる。縮小率は転写紙サイズと原稿サイズの比率によって計算するが、主走査方向と副走査方向を別々に計算して、小さい方を変倍率として決定する（ステップ６０３）。小さい方を変倍率とすることで画像欠落を防止する。
【００２２】
次に、第４の実施例の処理手順を図７のフローチャートを参照して説明する。
原稿サイズ検知２０７で検知された原稿と転写紙の面積の差の絶対値を計算する（ステップ７０１）。転写紙は複数種類あるので、選択可能な転写紙ごとに計算を行う。
そして、検知された原稿サイズをＸ，Ｙ、ｉ番目の転写紙ｉの転写紙サイズをＸｉ，Ｙｉ、原稿と転写紙の面積の差の絶対値をＳｉとすると、Ｓｉ  ＝  ｜Ｘ×Ｙ−Ｘｉ×Ｙｉ｜  となる。
計算された複数のＳｉの中から値が最小となるｉを求め、実際にコピーを行う転写紙ｉを決定する（ステップ７０２）。
決定された転写紙のサイズから変倍率を計算する。変倍率は転写紙サイズと原稿サイズの比率によって計算する。主走査方向の変倍率Ｚｘは、Ｚｘ  ＝  Ｘｉ／Ｘとして決定する（ステップ７０３）。副走査方向の変倍率Ｚｙは、Ｚｙ  ＝  Ｙｉ／Ｙとして決定する（ステップ７０４）。主走査方向と副走査方向の変倍率を独立に決定することで、画像欠落と余白発生を防止する。
【図面の簡単な説明】
【００２３】
【図１】本発明の実施例に係るデジタル複写機の構成を示したブロック図である。
【図２】デジタル複写機の構成を示したより詳細なブロック図である。
【図３】原稿サイズを検知する原稿サイズ検知の内部を示したブロック図である。
【図４】第１の実施例の処理手順を示したフローチャートである。
【図５】第２の実施例の処理手順を示したフローチャートである。
【図６】第３の実施例の処理手順を示したフローチャートである。
【図７】第４の実施例の処理手順を示したフローチャートである。
【図８】ディジタル複写機の原稿台を示した図である。
【図９】ディジタル複写機の読み取り光学系を示した構成図である。
【図１０】原稿を走査する方向を示した図である。
【符号の説明】
【００２４】
１０１  画像入力部
１０２  画像処理部
１０３  画像出力部
１０４  制御部
１０５  操作部
２０１  スキャナ部
２０２  ＭＴＦフィルタ処理
２０３  変倍処理
２０４  γ変換処理
２０５  階調処理
２０６  プリンタ部
２０７  原稿サイズ検知
２０８  システムバス
２０９  ＣＰＵ
２１０  ＲＯＭ
２１１  ＲＡＭ
２１２  操作部
３０１  コンパレータ
３０２  コンパレータ
３０３  ＡＮＤ
３０４  主走査カウンタ
３０５  Ｆ／Ｆ
３０６  コンパレータ
３０７  セレクタ
３０８  Ｆ／Ｆ
３０９  副走査カウンタ
３１０  Ｆ／Ｆ
【図１】
2006256167.tif 000003
【図２】
2006256167.tif 000004
【図３】
2006256167.tif 000005
【図４】
2006256167.tif 000006
【図５】
2006256167.tif 000007
【図６】
2006256167.tif 000008
【図７】
2006256167.tif 000009
【図８】
2006256167.tif 000010
【図９】
2006256167.tif 000011
【図１０】
2006256167.tif 000012